(57)【要約】【課題】更なる利便性の向上が図られた施設情報提供プログラムの提供。【解決手段】本発明の施設情報提供プログラム１０は、現在地周辺にある施設情報を提供するために携帯端末を、指定範囲内にある施設を端末９０のディスプレイ９２に表示する施設情報表示手段と、端末の現在の位置を取得する現在地取得手段と、予め任意の地点を固定登録地として記録する固定登録地記録手段として機能させ、施設情報表示手段は、施設と現在地との距離である第１距離３３と、現在地と固定登録地との距離である第２距離３５を施設情報３０として表示する。【選択図】図３
2020106390.tif 000002
【特許請求の範囲】
【請求項１】
現在地周辺にある施設情報を提供するために携帯端末を、
指定範囲内にある施設を前記携帯端末のディスプレイに表示する施設情報表示手段と、
前記携帯端末の現在の位置を取得する現在地取得手段と、
予め任意の地点を固定登録地として記録する固定登録地記録手段として機能させる施設情報提供プログラムであって、
前記施設情報表示手段は、前記施設と前記現在地との距離である第１距離と、前記現在地と前記固定登録地との距離である第２距離を施設情報として表示する施設情報提供プログラム。
【請求項２】
前記携帯端末を、
前記携帯端末に設けられたカメラが撮影した撮影画像を取得する撮影画像取得手段と、
前記撮影画像取得手段が取得した前記撮影画像に前記施設情報を重畳させるＡＲ画像生成手段として機能させる請求項１に記載の施設情報提供プログラム。
【請求項３】
前記指定範囲は、前記現在地を中心とした円又は円環状の範囲の一部の角度である扇状領域であって、
前記一部の角度には、前記撮影画像の角度とは少なくとも一部が含まれる請求項２に記載の施設情報提供プログラム。
【請求項４】
前記携帯端末を、
前記指定範囲の距離か否かに関わらず、前記一部の角度に前記固定登録地がある場合は前記固定登録地を示すアイコンを表示する固定登録地表示手段として機能させる請求項３に記載の施設情報提供プログラム。
【請求項５】
前記一部の角度以外に前記固定登録地がある場合は、前記携帯端末を前記固定登録地がある方向を示唆する矢印アイコンを表示する矢印アイコン表示手段として機能させる請求項３又は４に記載の施設情報提供プログラム。
【請求項６】
前記指定範囲として、前記現在地を中心とした円状の範囲である近距離範囲と、前記現在地を中心とし、かつ前記現在地から一定以上離れた円環状の範囲である遠距離範囲とを有し、
前記携帯端末を、
前記近距離範囲にある前記施設を表示する近距離表示モードと前記遠距離範囲にある前記施設を表示する遠距離表示モードとを切り替えて表示することが可能な指定範囲切替手段として機能させる請求項２乃至５の何れか１の請求項に記載の施設情報提供プログラム。
【請求項７】
前記携帯端末を、
表示されている前記施設から、前記施設を１つ選択すると、前記選択された施設と類似する施設が前記固定登録地の付近にあるか否かを検索する類似施設検索手段と、
前記類似する施設が検索された場合、前記施設情報と合わせて、前記類似する施設情報を表示する類似施設表示手段として機能させる請求項１乃至６の何れか１の請求項に記載の施設情報提供プログラム。
【請求項８】
前記携帯端末を、
前記第２距離が、規定値以内である場合と規定値以上である場合とで前記第２距離の表示態様を異ならせる距離表示態様切替手段として機能させる請求項１乃至７の何れか１の請求項に記載の施設情報提供プログラム。
【請求項９】
前記携帯端末を、
現在地から前記施設までの距離に対して、前記固定登録地から前記施設までの距離が大きいか否かで前記第２距離の表示態様を異ならせる距離表示態様切替手段として機能させる請求項１乃至７の何れか１の請求項に記載の施設情報提供プログラム。
【請求項１０】
前記携帯端末を、
前記指定範囲内にある施設から１つの施設をランダムで選択する施設ランダム選択手段と、
前記施設ランダム選択手段で選択された施設までの経路を表示する経路表示手段として機能させる請求項１に記載の施設情報提供プログラム。
【請求項１１】
前記経路表示手段には、前記選択された施設の名称を表示する通常モードと、前記選択された施設の名称を表示しないなぞモードと、が設けられている請求項１０に記載の施設情報提供プログラム。
【発明の詳細な説明】
【技術分野】
【０００１】
本発明は、現在位置に基づいた周辺情報を提供する施設情報提供プログラムに関する。
【背景技術】
【０００２】
特許文献１の施設情報提供プログラムは、現在地と現在地周辺にある施設との距離を表示する構成になっている。
【先行技術文献】
【特許文献】
【０００３】
【特許文献１】特開２０１２−６３２５３号公報
【発明の概要】
【発明が解決しようとする課題】
【０００４】
更なる利便性の向上が図られた施設情報提供プログラムの提供が求められていた。
【課題を解決するための手段】
【０００５】
上記課題を解決するためになされた請求項１の施設情報提供プログラムは、現在地周辺にある施設情報を提供するために携帯端末を、指定範囲内にある施設を携帯端末のディスプレイに表示する施設情報表示手段と、携帯端末の現在の位置を取得する現在地取得手段と、予め任意の地点を固定登録地として記録する固定登録地記録手段として機能させ、前記施設情報表示手段は、前記施設と前記現在地との距離である第１距離と、前記現在地と前記固定登録地との距離である第２距離を施設情報として表示する。
【発明の効果】
【０００６】
請求項１の施設情報提供プログラムによれば、現在地から施設までの第１距離だけでなく、固定登録地から施設までの第２距離も確認することができる。例えば、固定登録地として自宅や会社が設定してある場合、第２距離を把握することで、施設から帰宅又は帰社までに掛かる時間を容易に予想することが可能となり、施設情報提供プログラムにおける利便性の向上が図られる。
【図面の簡単な説明】
【０００７】
【図１】第１実施形態の施設情報提供プログラムの全体構成を示す図
【図２】（Ａ）携帯端末の正面図、（Ｂ）その背面図
【図３】ＡＲ画像を表示している携帯端末の正面図
【図４】（Ａ）地図画像を表示している携帯端末のディスプレイ、（Ｂ）施設一覧画像を表示している携帯端末のディスプレイ
【図５】（Ａ）施設の詳細情報画面を表示している携帯端末のディスプレイ（類似施設有）、（Ｂ）施設の詳細情報画面を表示している携帯端末のディスプレイ（類似施設無）
【図６】（Ａ）固定登録地の登録画面を表示している携帯端末のディスプレイ、（Ｂ）固定登録地の登録画面を表示している携帯端末のディスプレイ
【図７】ＡＲ画像を表示している携帯端末の正面図
【図８】第２実施形態の施設情報提供プログラムの全体構成を示す図
【図９】ＡＲ画像を表示している携帯端末の正面図
【図１０】変形例に係るＡＲ画像を表示している携帯端末の正面図
【発明を実施するための形態】
【０００８】
［第１実施形態］
図１に示されるように、本実施形態の施設情報提供プログラム１０は、携帯端末９０にインストールされている。そして、携帯端末９０が、例えば、携帯電話の基地局やインターネットを介してサーバ１００に接続されることで、現在地周辺にある施設情報を提供するための施設情報提供プログラム１０として携帯端末９０が機能する構成となっている。
【０００９】
サーバ１００は、経路情報記憶部１０１、地図情報記憶部１０２、施設情報記憶部１０３、施設情報提供部１０４、経路探索部１０５、及び経路情報提供部１０６が含まれている。これらは、例えば、メモリや記憶装置等の記憶領域を用いたり、記憶領域に格納されているプログラムをプロセッサが実行したりすることにより実現することができる。
【００１０】
経路情報記憶部１０１には、緯度・経度等を示す位置情報や、道路などの接続情報が含まれる。
【００１１】
地図情報記憶部１０２は、経路案内において利用可能な地図情報を記憶している。地図情報には、例えば、平面地図（例えば、グーグルマップ（登録商標）画像）や三次元空間画像等の画像情報（例えば、ストリートビュー（登録商標）画像））が含まれている。
【００１２】
施設情報記憶部１０３は、各種施設の位置情報を記憶している。施設情報には、例えば、施設ＩＤ、緯度・経度、特徴情報等が含まれる。なお、施設には、例えば、建物や店舗等の施設だけでなく、建物に設置された看板や置物等を含む構成であってもよい。また、特徴情報は、施設の特徴を示す情報であり、例えば、施設の外観画像や名称等を示す情報が含まれる。
【００１３】
施設情報提供部１０４は、施設探索結果に基づいた施設情報を携帯端末９０に提供する。施設情報には、地図情報や音声情報のほか、写真や口コミ等も含まれる。
【００１４】
経路探索部１０５は、携帯端末９０からの経路探索要求に応じて、経路情報記憶部１０１を参照し、経路探索を実行する。経路探索要求には、例えば、出発地や目的地、経由地等の、経路探索条件が含まれる。
【００１５】
経路情報提供部１０６は、経路探索結果に基づいた経路案内を行う際に必要となる経路情報を携帯端末９０に提供する。経路情報には、経路案内用の地図情報や音声情報も含まれる。
【００１６】
次に、携帯端末９０について説明する。携帯端末９０は、携帯端末やタブレット端末等の携帯可能な情報処理装置である。携帯端末９０は、ＧＰＳ（Ｇｌｏｂａｌ  Ｐｏｓｉｔｉｏｎｉｎｇ  Ｓｙｓｔｅｍ）モジュール５４、角度センサ５５、方位センサ５６、施設情報取得部５７、施設情報記憶部５８、施設情報画像生成部５９、ＡＲ（Ａｕｇｍｅｎｔｅｄ  Ｒｅａｌｉｔｙ）画像生成部６５、経路情報取得部６０、経路情報記憶部６１、地図画像生成部６２、表示制御部６３、撮影画像記憶部６４、カメラ９１、ディスプレイ９２、を含んでいる。これらは、例えば、各種デバイスを用いたり、メモリや記憶装置等の記憶領域を用いたり、記憶領域に格納されているプログラムをプロセッサが実行することにより実現することができる。
【００１７】
ＧＰＳモジュール５４は、ＧＰＳ衛星と通信して携帯端末９０の現在の位置情報を出力する。位置情報として、例えば、緯度、経度、高度、測位精度などの情報が含まれる。
【００１８】
角度センサ５５は、携帯端末９０の傾き角度を検出するセンサである。角度センサ５５は、例えば、ジャイロセンサを用いて構成されている。
【００１９】
方位センサ５６は、携帯端末９０が向けられている方位を検出するセンサである。携帯端末９０が向けられている方位は、例えば、携帯端末９０の背面に設けられたカメラ９１が向けられている方位である（図２（Ｂ）参照）。方位センサ５６は、例えば、磁気センサを用いて構成される。
【００２０】
施設情報取得部５７は、施設情報を提供するために必要となる施設情報をサーバ１００から施設検索範囲内に存在する施設情報を取得し、施設情報記憶部５８に格納する。具体的には、施設検索範囲は、携帯端末９０のＧＰＳモジュール５４から出力された携帯端末９０の位置情報をもとに算出される距離区分と、方位センサ５６から出力された方位情報をもとに算出される角度区分とから限定される。
【００２１】
施設検索範囲の距離区分には、近距離モードと遠距離モードとが設定されている。近距離モードでは、現在地を０として、現在地から半径１００ｍ以内の範囲である円状領域に絞られ、遠距離モードでは、現在地から半径１００ｍ超かつ１０００ｍ以内の範囲である環状領域に絞られる構成になっている。
【００２２】
施設検索範囲の角度区分は、カメラ９１又はインカメラ９３の撮影可能範囲に設定される。方位センサ５６から取得した携帯端末９０の背面が向く方向をもとにカメラ９１の撮影可能範囲が算出される。なお、カメラ９１によって撮影されている場合とインカメラ９３によって撮影されている場合とでは、撮影可能範囲が反転（１８０度回転）する構成となっている。
【００２３】
なお、施設情報取得部５７は、全ての施設情報を一度に取得するのではなく、必要な情報を必要なタイミングで取得することができる。
【００２４】
施設情報画像生成部５９は、施設情報記憶部５８に格納された施設情報をもとに、後述する施設情報画像３０を生成する。
【００２５】
ＡＲ画像生成部６５は、カメラ９１によって撮影された撮影画像１５に、施設情報画像３０等を重畳したＡＲ画像１６を生成する。なお、ＡＲ画像生成部６５は、カメラ９１によって撮影された画像の代わりに、サーバ１００から取得される三次元空間画像を用いることも可能である。三次元空間画像は、カメラ９１が向けられた方向に対応する画像であり、経路情報取得部６０によってサーバ１００から取得することができる。
【００２６】
経路情報取得部６０は、経路案内を行うために必要となる経路情報をサーバ１００から取得し、経路情報記憶部６１に格納する。経路情報取得部６０が取得する経路情報は、例えば、経路案内用の地図情報、音声情報等が含まれる。なお、経路情報取得部６０は、全ての経路情報を一度に取得するのではなく、必要な情報を必要なタイミングで取得することができる。
【００２７】
地図画像生成部６２は、地図表示及び経路案内を行うための地図画像１８を生成する。例えば、地図画像生成部６２は、施設情報及び経路情報に基づいて、現在位置付近の地図１７上に施設情報画像を重畳した地図画像１８や、現在位置付近の地図上に経路を示した地図画像１８を生成することができる。
【００２８】
表示制御部６３は、ディスプレイ９２に表示する画像の制御をする。例えば、表示制御部６３は、ディスプレイ９２に表示する画像をＡＲ画像から地図画像に切り替えることができる。
【００２９】
図２（Ａ）に示されるように、携帯端末９０の正面には、ディスプレイ９２が設けられている。また、ディスプレイ９２の下方にはホームボタン９４が設けられ、ディスプレイ９２の上方にはインカメラ９３と、スピーカー９５とが設けられている。また、図２（Ｂ）に示されるように、携帯端末９０の背面には、カメラ９１とストロボライト９６が設けられている。
【００３０】
以下、本実施形態の施設情報提供プログラム１０の動作及び操作方法について説明する。
【００３１】
携帯端末９０のディスプレイ９２に表示されている施設情報提供アプリのアイコンをタッチすると、施設情報提供アプリが起動し、ディスプレイ９２に、カメラ９１で撮影されている撮影画像１５に複数の施設情報画像３０が合成されたＡＲ画像１６が表示される（図３参照）。
【００３２】
施設情報提供プログラム１０の施設情報画像３０は、図３に示されるように、施設名称３１、口コミ情報３２、現在地から施設までの距離である第１距離３３及び現在地に対する施設のある方向を示す方向アイコン３４を有している。施設情報画像３０は、その施設の現在地に対する距離及び方向で調整され配置されている。具体的には、施設情報画像３０は、現在地からの距離順に上下に並んでいて、現在地に近い程、撮影画像１５の下側に配置される。また、現在地に対してその施設が右側にある場合は、施設情報画像３０の右寄り位置に配置される。
【００３３】
ところで、本実施形態の施設情報提供プログラム１０は、現在地から施設までの第１距離３３に加えて、固定登録地ら施設までの距離である第２距離３５を表示する構成になっている。これにより、例えば、固定登録地として自宅が登録されている場合、その施設に行った後に帰宅する場合、帰宅までにかかる距離がわかり、目的地を設定するときにその後の帰宅までを含めた予定を容易に考えることができる。
【００３４】
また、本実施形態の施設情報提供プログラム１０は、第１距離３３が第２距離３５よりも大きい場合は、例えば、第２距離３５は赤色で表示され、第１距離３３が第２距離３５よりも小さい場合は、例えば、青色で表示される構成となっている。このように、第１距離３３に対して第２距離３５が大きいか否かで第２距離の表示態様が異なる構成になっていると、施設に向かうと固定登録地から遠ざかるのか否かを容易に認識することができる。
【００３５】
さらに、本実施形態の施設情報提供プログラム１０は、ディスプレイ９２の右下にはレーダー表示部５０が表示され、施設検索範囲が視覚化されている。具体的には、レーダー表示部５０の中心位置を現在地Ｐとし、内側の円状領域が近距離領域を示し、外側の環状領域が遠距離領域を示している。三角状に区画された部分がカメラ９１の撮影可能範囲を示している。そして、レーダー表示部５０のうち、施設検索範囲が他の部分と異なる色で表示されている。図３の例では撮影可能範囲内かつ遠距離領域の部分が色が付された構成になっている。なお、撮影画像１５に合成される施設情報画像３０は、施設検索範囲内に存在する施設に限定される構成であるが、レーダー表示部５０には、角度区分による限定が外され、近距離領域および遠距離領域内に存在する施設全てが簡易表示される構成になっている。
【００３６】
また、図３に示されるように、撮影画像１５の上下に上側ツールバー２０Ａと下側ツールバー２０Ｂとが表示されている。上側ツールバー２０Ａには、ジャンルボタン２１と、現在地情報、カメラ切替ボタン２２が並んでいる。現在地情報は、本実施形態では「愛知県」と表示されているが「愛知県名古屋市」など、現在地を把握できる構成であればよい。
【００３７】
ジャンルボタン２１は、施設情報画像３０が表示される施設のジャンルを示すものである。通常時及び無選択時は全ての施設情報画像３０を表示する全ジャンルとなっている。また、表示される施設情報画像３０を飲食店や本屋など一部の情報に絞りたい場合は、ジャンルボタン２１をタッチすると、ジャンル一覧が表示され、そのジャンル一覧から適宜絞りたいジャンルを選択することができる。なお、ジャンル一覧を表示する構成に限られるものではなく、キーワード入力する方式であってもよいし、ジャンルボタン２１をタッチする毎に表示されるジャンルが変化する構成であってもよい。
【００３８】
カメラ切替ボタン２２は、ディスプレイ９２に表示されている撮影画像１５が、カメラ９１で撮影されたものから、インカメラ９３で撮影されたものに切り替わるようになっている。ディスプレイ９２に表示されている撮影画像１５がインカメラ９３で撮影されたものである場合は、カメラ９１で撮影されたものに切り替わる構成になっている。なお、カメラ切替ボタン２２の操作によって、施設検索範囲の角度区分も１８０度回転するようになっていてもよい。
【００３９】
下側ツールバー２０Ｂには、例えば、左から順に地図ボタン２３Ａ、名称検索等の詳細検索が可能な検索画面に移行する検索ボタン２４、登録ボタン２５、なぞモードボタン２６、アプリのバージョン情報や使用方法等の確認が可能なインフォメーションページへと移行するインフォメーションボタン２７、その他各種設定が可能な設定画面へと移行する設定ボタン２８が並んでいる。
【００４０】
地図ボタン２３Ａをタッチすると、ディスプレイ９２に地図画像１８が表示される。図４（Ａ）に示されるように、地図画像１８では、現在地Ｐがディスプレイ９２の中央下側寄り位置に配置された周辺地図に施設情報画像３０が重畳して表示される。
【００４１】
また、ＡＲ画像１６及び地図画像１８で表示されている施設情報画像３０をタッチすると、施設一覧画面へと移行する構成になっている（図４（Ｂ）参照）。さらに、施設一覧画面で任意の施設情報画像を１つタッチすると、その施設の詳細情報画面へと移行する構成になっている。
【００４２】
図５（Ａ）に示されるように、施設の詳細情報画面では、選択した施設の詳細情報以外に、固定登録地の付近に選択した施設と類似する施設を表示する構成になっている。固定登録地の付近に選択した施設類似する施設を表示することで、最終的に固定登録地へと行く場合、固定登録地付近の類似する施設に行くこともできるので、時間の有効活用を図ることができる。また、施設の検索は、固定登録地から一定距離範囲内にある施設を検索する構成であり、角度区分による検索範囲の限定はされない構成になっている。なお、図５（Ｂ）に示されるように、固定登録地の付近に選択した施設と類似する施設がない場合は、類似施設がない旨を知らせる構成であってもよい。
【００４３】
固定登録地は、任意の場所に設定することができる。具体的には、図３に示されるように、ディスプレイの中央下に配置された登録ボタン２５から、固定登録地の設定画面に移行する。そして、図６に示されるように、固定登録地の設定画面では、固定登録地の種類を表す登録地マーク３５Ｍと、その隣に固定登録地の場所を入力可能な設定欄が設けられている。設定欄には、住所又は郵便番号、電話番号等から入力する直接入力、または、地図画面から場所を設定する地図入力が可能な構成になっている。また、設定欄の横には、固定登録地を常時表示するか否かを示すチェックボタン３５Ａが設けられている。本実施形態では、チェックボタン３５Ａが黒塗りになっている登録地を固定登録地として常時表示する構成になっている。なお、本実施形態では複数の登録地のうち１つの登録地のみを固定登録地として常時表示可能な構成にしているが、複数の登録地を固定登録地として常時表示可能な構成にしてもよい。また、固定登録地として１つのみ登録可能な構成としてもよい。
【００４４】
さらに、本実施形態の施設情報提供プログラム１０は、図７に示されるように、固定登録地が施設検索範囲のうち角度区分に一致する方向にある場合には距離区分の指定範囲内外に関わらず固定登録地の種類を表す登録地マーク３５Ｍが表示される構成になっている。これにより、固定登録地が移動方向にあるか否かを容易に認識することができ、方向感覚をつかみやすくすることができる。
【００４５】
［第２実施形態］
本実施形態の施設情報提供プログラム１０Ｚは、ランダムで選択された施設へと案内するなぞモードを有している。図８に示されるように、施設情報提供プログラム１０Ｚは、施設ランダム選択部６６を有する構成になっている。施設ランダム選択部６６は、第１実施形態における施設検索範囲内にある複数の施設から１つの施設をランダムで選択する構成となっている。そして、施設ランダム選択部６６によって選択された施設を目的とする現在地からの経路を経路情報取得部６０から取得する。
【００４６】
具体的には、なぞモードボタン２６を選択すると、施設ランダム選択部６６によって選択された施設へと案内される。この時、図９に示されるように、目的地までの第１距離３３及び第２距離３５が表示される構成になっているので、時間配分を考えて選択された施設へ行くか否かを検討することができる。
【００４７】
また、本実施形態では、ランダムで選択された施設の施設名称３１を隠すなぞモードを選択することができる。これにより、冒険のような期待感や高揚感を感じることができる。また、なぞモードを選択持には、図９に示されるように、現在地から、例えば、１００ｍ以内の範囲における経路が案内される構成になっていて、選択された施設が推察し辛くなっている。なお、なぞモードにおける経路案内はＡＲ画像１６のみで構成してもよいし、地図画像１８のみで構成してもよいし、ＡＲ画像１６又は地図画像１８の何れかを選択可能に構成してもよい。
【００４８】
なお、本実施形態は、本発明の理解を容易にするためのものであり、本発明を限定して解釈するためのものではない。本発明は、その趣旨を逸脱することなく、変更／改良され得るととともに、本発明にはその等価物も含まれる。
【００４９】
（１）上記実施形態では、第２距離３５は、第１距離３３よりも大きいか否かで表示態様が異なる構成になっていたが、第２距離３５は常に同じ表示態様で合ってもよい。
【００５０】
（２）上記実施形態では、第２距離３５は、第１距離３３よりも大きいか否かで表示態様が異なる構成になっていたが、第２距離３５が任意の値よりも大きいか否かで表示態様が異なる構成であってもよい。固定登録地として会社が登録されているとき、会社から施設までの距離が遠距離出張に該当するか否かが容易に認識することができる。また、任意の値は固定登録地毎に設定できる構成にしてもよい。
【００５１】
（３）上記実施形態では、固定登録地が施設検索範囲のうち角度区分に一致する方向にある場合にのみ表示される構成であったが、施設検索範囲の角度区分外の方向にある場合にも表示する構成であってもよい。この場合、図１０に示されるように、固定登録地を示す登録地マーク３５Ｍと方向表示アイコン３５Ｄとを同時に示し、固定登録地がある方向を示す構成であってもよい。
【００５２】
（４）施設情報画像３０は、施設名称３１と第１距離３３、第２距離３５のみ表示するなど、検索結果によって施設情報画像３０の大きさを調整できるように構成してもよい。
【００５３】
（４）施設検索範囲における距離区分の切り替えは、レーダー表示部５０の遠距離領域又は近距離領域を選択することで実行される構成であってもよい。
【符号の説明】
【００５４】
１０    施設情報提供プログラム
１５    撮影画像
１６    ＡＲ画像
３０    施設情報画像
３１    施設名称
３３    第１距離
３５    第２距離
５０    レーダー表示部
５４    ＧＰＳモジュール
５５    角度センサ
５６    方位センサ
６３    表示制御部
６４    撮影画像記憶部
９０    携帯端末
９１    カメラ
９２    ディスプレイ
９３    インカメラ
【図１】
2020106390.tif 000003
【図２】
2020106390.tif 000004
【図３】
2020106390.tif 000005
【図４】
2020106390.tif 000006
【図５】
2020106390.tif 000007
【図６】
2020106390.tif 000008
【図７】
2020106390.tif 000009
【図８】
2020106390.tif 000010
【図９】
2020106390.tif 000011
【図１０】
2020106390.tif 000012